(57)【要約】【課題】左右一対の天蓋を車幅方向に開閉する車両荷箱の天蓋開閉装置において、天蓋の外側縁部の中間部が走行振動などにより上下に揺動することを抑制することを可能とする車両荷箱の天蓋開閉装置を提供する。【解決手段】左右一対の天蓋５Ｒ、５Ｌを車幅方向に開閉する車両荷箱の天蓋開閉装置において、閉鎖位置にある天蓋５Ｒ、５Ｌの外側縁部の上方移動を規制するように、天蓋５Ｒ、５Ｌの外側縁部を車両荷箱１の側壁１Ｒ、１Ｌに繋止するワイヤロープ３１を備える。【選択図】図５
2009018673.tif 000002
【特許請求の範囲】
【請求項１】
左右一対の天蓋を車幅方向に開閉する車両荷箱の天蓋開閉装置において、
閉鎖位置にある天蓋の外側縁部の上方移動を規制するように、天蓋の外側縁部を車両荷箱の側壁に繋止する繋止手段を備えることを特徴とする車両荷箱の天蓋開閉装置。
【請求項２】
請求項１に記載の車両荷箱の天蓋開閉装置において、
前記繋止手段により車両荷箱の側壁に繋止される前記天蓋の外側縁部は、当該外側縁部の中間部であり、
前記天蓋が閉鎖位置にあるときに、当該天蓋の外側縁部の前端部および後端部を上下から挟持してその上下移動を規制するロック手段が前記車両荷箱の側壁にそれぞれ設けられていることを特徴とする車両荷箱の天蓋開閉装置。
【請求項３】
請求項１又は２に記載の車両荷箱の天蓋開閉装置において、
前記繋止手段は、両端部が前記天蓋の外側縁部および前記車両荷箱の側壁にそれぞれ固定された非弾性紐状体であり、その非弾性紐状体の長さは、前記天蓋が閉鎖位置にあるとき当該非弾性紐状体が弛まないような長さに設定されていることを特徴とする車両荷箱の天蓋開閉装置。
【請求項４】
請求項１又は２に記載の車両荷箱の天蓋開閉装置において、
前記繋止手段は、両端部が前記天蓋の外側縁部および前記車両荷箱の側壁にそれぞれ固定された弾性紐状体であり、その弾性紐状体の長さは、前記天蓋が閉鎖位置にあるとき当該弾性紐状体に張力が発生するような長さに設定されていることを特徴とする車両荷箱の天蓋開閉装置。
【請求項５】
左右一対の天蓋を車幅方向に開閉する車両荷箱の天蓋開閉装置において、
両端部が天蓋の外側縁部および車両荷箱の側壁にそれぞれ回動自在に連結され、閉鎖位置にある天蓋の外側縁部の上方移動を規制するシリンダを備えることを特徴とする車両荷箱の天蓋開閉装置。
【請求項６】
請求項５に記載の車両荷箱の天蓋開閉装置において、
前記シリンダの一端部が連結されている前記天蓋の外側縁部は、天蓋の外側縁部の中間部であり、
前記天蓋が閉鎖位置にあるときに、当該天蓋の外側縁部の前端部および後端部を上下から挟持して上下移動を規制するロック手段が前記車両荷箱の側壁にそれぞれ設けられていることを特徴とする車両荷箱の天蓋開閉装置。
【請求項７】
左右一対の天蓋を車幅方向に開閉する車両荷箱の天蓋開閉装置において、
両端部が天蓋の外側縁部および車両荷箱の側壁にそれぞれ回動自在に連結され、閉鎖位置にある天蓋の外側縁部の上方移動を規制する、途中位置に屈曲部を有するリンク部材を備えることを特徴とする車両荷箱の天蓋開閉装置。
【請求項８】
請求項７に記載の車両荷箱の天蓋開閉装置において、
前記リンク部材の一端部が連結されている前記天蓋の外側縁部は、天蓋の外側縁部の中間部であり、
前記天蓋が閉鎖位置にあるときに、当該天蓋の外側縁部の前端部および後端部を上下から挟持して上下移動を規制するロック手段が前記車両荷箱の側壁にそれぞれ設けられていることを特徴とする車両荷箱の天蓋開閉装置。
【発明の詳細な説明】
【技術分野】
【０００１】
本発明は、車両荷箱の天蓋開閉装置に関する。
【背景技術】
【０００２】
従来より、車両荷箱の天蓋開閉装置として特許文献１に開示されているものが知られている。特許文献１に開示されている車両荷箱の天蓋開閉装置は、左右一対の天蓋を荷箱上に並べて配置することで荷箱の開口部を塞ぐ天蓋閉鎖位置と、左右一対の天蓋を荷箱の左右側壁の外側に沿って縦に配置する天蓋開放位置と、の間で左右一対の天蓋を移動させる。
【０００３】
車両荷箱の前後には、モータに駆動されて天蓋を開閉作動させる回動アームが設置されている。左右の天蓋が天蓋閉鎖位置から天蓋開放位置へ移動されるとき、両天蓋は、回動アームの回動動作によってそれぞれ荷箱の左右側壁上に設置されたローラ上を車幅方向外側へスライド移動されつつ、後方視ハの字状に起立傾動され、最終的に荷箱の左右側壁の外側に沿って縦に配置される。一方、天蓋が天蓋開放位置から天蓋閉鎖位置へ移動されるときは、両天蓋は上記と逆の動作にて移動される。
【特許文献１】特開２００３−１７５７２７
【発明の開示】
【発明が解決しようとする課題】
【０００４】
特許文献１に開示されている車両荷箱の天蓋開閉装置では、天蓋閉鎖状態において、天蓋の外側縁部を上下から挟持して上下移動を規制する機構（特許文献１において「ロック手段」と称している。）が車両荷箱の左右側壁上の前端部および後端部に設けられている。上記機構は、車両の走行振動、走行風などによって、天蓋閉鎖位置にある天蓋の外側縁部が上下に揺動することを抑制する役割を果たす。
【０００５】
ところが、上記車両荷箱の天蓋開閉装置は、左右一対の天蓋を車幅方向に開閉することから、上記「ロック手段」のような機構を車両荷箱の左右両側壁上の中間部に設けることができない。そのような場所に上記機構を設けると天蓋の車幅方向への移動の妨げとなるからである。したがって、天蓋の外側縁部の中間部については、車両の走行振動や走行風などによる上下揺動を十分に抑制することができず、そのような上下揺動によって、天蓋に使用されている部材へ繰り返し荷重が作用し、部材の材料疲労を促すおそれがあった。また、車両荷箱内の荷物、例えば土砂等が外部へ飛散するおそれもあった。
【０００６】
本発明は、上記問題に鑑みてなされたものであり、左右一対の天蓋を車幅方向に開閉する車両荷箱の天蓋開閉装置において、天蓋の外側縁部の中間部が走行振動などにより上下に揺動することを抑制することを可能とする車両荷箱の天蓋開閉装置を提供することを目的とする。
【課題を解決するための手段】
【０００７】
上述の課題を解決するための手段として、本発明の車両荷箱の天蓋開閉装置は、以下のように構成されている。すなわち、本発明の車両荷箱の天蓋開閉装置は、左右一対の天蓋を車幅方向に開閉する車両荷箱の天蓋開閉装置において、閉鎖位置にある天蓋の外側縁部の上方移動を規制するように、天蓋の外側縁部を車両荷箱の側壁に繋止する繋止手段を備えることを特徴としている。
【０００８】
かかる構成を備える車両荷箱の天蓋開閉装置によれば、上記繋止手段の一端部を天蓋の外側縁部の中間部に固定することにより当該中間部の上方移動を規制し、走行振動、走行風などにより当該中間部が上下に揺動することを抑制することができる。また、従来のロック手段に代えて、上記繋止手段の一端部を天蓋の外側縁部の前端部および後端部に固定することにより当該前端部および後端部の上方移動を規制し、走行振動、走行風などにより当該前端部および後端部が上下に揺動することを抑制することもできる。
【０００９】
また、本発明の車両荷箱の天蓋開閉装置は、上記構成において、前記繋止手段により車両荷箱の側壁に繋止される前記天蓋の外側縁部は、当該外側縁部の中間部であり、前記天蓋が閉鎖位置にあるときに、当該天蓋の外側縁部の前端部および後端部を上下から挟持してその上下移動を規制するロック手段が前記車両荷箱の側壁にそれぞれ設けられていることを特徴としている。
【００１０】
かかる構成を備える車両荷箱の天蓋開閉装置によれば、積み卸し装置、扉等の可動部や、積み卸し装置の操作部等が設けられることが多い車両荷箱の前部および後部近辺に繋止手段を設ける必要がなくなり、繋止手段が可動部に巻き込まれたり、操作者の作業の邪魔になるおそれが少なくなる。
【００１１】
また、本発明の車両荷箱の天蓋開閉装置は、上記何れかの構成において、前記繋止手段は、両端部が前記天蓋の外側縁部および前記車両荷箱の側壁にそれぞれ固定された非弾性紐状体であり、その非弾性紐状体の長さは、前記天蓋が閉鎖位置にあるとき当該非弾性紐状体が弛まないような長さに設定されていることを特徴としている。非弾性紐状体の長さが、前記天蓋が閉鎖位置にあるとき当該非弾性紐状体が弛まないような長さに設定されているので、閉鎖位置にある天蓋の外側縁部のうち非弾性紐状体が固定された部分の上方移動が規制され、走行振動、走行風などにより当該部分が上下に揺動することも抑制される。
【００１２】
また、本発明の車両荷箱の天蓋開閉装置は、上記何れかの構成において、前記繋止手段は、両端部が前記天蓋の外側縁部および前記車両荷箱の側壁にそれぞれ固定された弾性紐状体であり、その弾性紐状体の長さは、前記天蓋が閉鎖位置にあるとき当該弾性紐状体に張力が発生するような長さに設定されていることを特徴としている。弾性紐状体の長さが、前記天蓋が閉鎖位置にあるとき当該弾性紐状体に張力が発生するような長さに設定されているので、これにより、閉鎖位置にある天蓋の外側縁部のうち弾性紐状体が固定された部分の上方移動が規制され、走行振動、走行風などにより当該部分が上下に揺動することも抑制される。
【００１３】
また、本発明の車両荷箱の天蓋開閉装置は、左右一対の天蓋を車幅方向に開閉する車両荷箱の天蓋開閉装置において、両端部が天蓋の外側縁部および車両荷箱の側壁にそれぞれ回動自在に連結され、閉鎖位置にある天蓋の外側縁部の上方移動を規制するシリンダを備えることを特徴としている。
【００１４】
かかる構成を備える車両荷箱の天蓋開閉装置によれば、閉鎖位置にある天蓋の外側縁部のうちシリンダの端部が連結された部分の上方移動が規制され、走行振動、走行風などにより当該部分が上下に揺動することも抑制される。
【００１５】
また、本発明の車両荷箱の天蓋開閉装置は、上記構成において、前記シリンダの一端部が連結されている前記天蓋の外側縁部は、天蓋の外側縁部の中間部であり、前記天蓋が閉鎖位置にあるときに、当該天蓋の外側縁部の前端部および後端部を上下から挟持して上下移動を規制するロック手段が前記車両荷箱の側壁にそれぞれ設けられていることを特徴としている。
【００１６】
かかる構成を備える車両荷箱の天蓋開閉装置によれば、積み卸し装置の操作部等が設けられることが多い車両荷箱の前端部および後端部近辺にシリンダを設ける必要がなくなり、操作者の作業環境が向上する。
【００１７】
また、本発明の車両荷箱の天蓋開閉装置は、左右一対の天蓋を車幅方向に開閉する車両荷箱の天蓋開閉装置において、両端部が天蓋の外側縁部および車両荷箱の側壁にそれぞれ回動自在に連結され、閉鎖位置にある天蓋の外側縁部の上方移動を規制する、途中位置に屈曲部を有するリンク部材を備えることを特徴としている。
【００１８】
かかる構成を備える車両荷箱の天蓋開閉装置によれば、閉鎖位置にある天蓋の外側縁部のうちリンク部材の端部が連結された部分の上方移動が規制され、走行振動、走行風などにより当該部分が上下に揺動することも抑制される。
【００１９】
また、本発明の車両荷箱の天蓋開閉装置は、上記構成において、前記リンク部材の一端部が連結されている前記天蓋の外側縁部は、天蓋の外側縁部の中間部であり、前記天蓋が閉鎖位置にあるときに、当該天蓋の外側縁部の前端部および後端部を上下から挟持して上下移動を規制するロック手段が前記車両荷箱の側壁にそれぞれ設けられていることを特徴としている。
【００２０】
かかる構成を備える車両荷箱の天蓋開閉装置によれば、積み卸し装置の操作部等が設けられることが多い車両荷箱の前端部および後端部近辺にリンク部材を設ける必要がなくなり、操作者の作業環境が向上する。
【発明の効果】
【００２１】
本発明の車両荷箱の天蓋開閉装置によれば、左右の天蓋の外側縁部の中間部が走行振動などにより上下に揺動することを抑制することが可能である。
【発明を実施するための最良の形態】
【００２２】
以下、本発明の実施の形態について図面を参照して説明する。図１および図２に示すように、車両荷箱１は、例えば土砂を運搬するためのものであり、車両２に搭載される積み卸し装置３は、車両２上に積載した車両荷箱１（図１の状態）を地面に降ろすことができ（図２の状態）、地面上にある車両荷箱１（図２の状態）を車両２上に積載することもできる（図１の状態）。さらに積み卸し装置３は車両２上にある車両荷箱１をダンプ作動せしめることもできる。
【００２３】
図３〜図７に示すように、車両荷箱１の上方に形成された開口部１ａは、左右一対の天蓋５Ｒ、５Ｌにて閉鎖されるようになっている。左右一対の天蓋５Ｒ、５Ｌを開閉する天蓋開閉装置は、正逆方向へ回動することにより天蓋５Ｒ、５Ｌを車幅方向へ開閉させる天蓋開閉アーム６、・・・、天蓋開閉アーム６を回動させる駆動力を出力する天蓋駆動手段７、天蓋駆動手段７の駆動力を天蓋開閉アーム６に伝達する駆動力伝達手段、開閉移動する天蓋５Ｒ、５Ｌの下面をそれぞれスライド支持するスライド支持手段９、・・・、閉鎖位置にある天蓋５Ｒ、５Ｌの外側縁部の前端部および後端部をそれぞれ上下から挟持して上下移動を規制するロック手段１０、・・・などを備えている。
【００２４】
両天蓋５Ｒ、５Ｌは、同一矩形状に形成されており、これらは、閉鎖位置にあるとき、内側に向かってなだらかに上方傾斜し且つ内側縁部同士が近接した状態で車両荷箱１の開口部１ａを閉塞するように配置される。なお、天蓋５Ｒ、５Ｌの内側縁部には、両天蓋５Ｒ、５Ｌが閉鎖位置にあるときに、両天蓋５Ｒ、５Ｌ間の隙間から雨水等が浸入することを防止するためのパッキン類１１が固設されている。
【００２５】
車両荷箱１の開口部１ａの周縁の後部から車両荷箱１の後壁１Ｂにかけて平坦な上壁１ｂが形成されており、また、車両荷箱１の開口部１ａの周縁の前後部からそれぞれ上方に立ち上がった前後方向に視て山型状の支持壁１ｃ、１ｃが形成されている。
【００２６】
天蓋開閉アーム６、・・・は、基端部が車両荷箱１の支持壁１ｃに固定されたブラケット１２に固設された前後方向に延在する支軸１３回りに回動自在に連結される一方、先端部が天蓋５Ｒ、５Ｌの前後端面の内側端部に対してそれぞれ回動自在に連結されている。
【００２７】
天蓋駆動手段７は、天蓋開閉アーム６を回動させる駆動力を出力する。本実施の形態においては、天蓋駆動手段７として電動モータ７を例に挙げる。勿論、天蓋駆動手段７は、電動モータ７に限定されず、油圧モータなどその他の駆動手段を天蓋駆動手段７として用いることができる。
【００２８】
駆動力伝達手段は、車両荷箱１の左右両側に設けられており、左右の電動モータ７、７の駆動力を左右前後に設置されている天蓋開閉アーム６に伝達する。本実施形態においては、駆動力伝達手段は、電動モータ７に連結された減速機１４、この減速機１４の出力側に連結され、車両荷箱１の側壁１Ｒ、１Ｌに沿って前後方向に延在し、回転自在にブラケット２０を介して側壁１Ｒ、１Ｌに支持された駆動力伝達軸１５この駆動力伝達軸１５の前部および後部に固設された駆動スプロケット１６、１６、支軸１３に固設され、駆動スプロケット１６、１６と共にそれぞれ同じ無端チェーン１７に巻き掛けられた従動スプロケット１９、１９などで構成されている。
【００２９】
図８に示すように、スライド支持手段９は、車幅方向へ開閉移動する天蓋５Ｒ、５Ｌの下面をスライド支持するものであり（図８では右天蓋５Ｒを図示せず。）、例えば車両荷箱１の左右の側壁１Ｒ、１Ｌの上端部にそれぞれ複数個ずつ前後方向に適宜の間隔をおいて配置されたローラ９、・・・で構成されている。ローラ９は、車両荷箱１の左右の側壁１Ｒ、１Ｌ（図８では右側壁１Ｒ側を図示せず。）の上端部にブラケット２０を介して設置されている。なお、このブラケット２０は、前記駆動力伝達軸１５の軸受を備えている。
【００３０】
図９に示すように、ロック手段１０は、天蓋５Ｒ、５Ｌ（図９では、右天蓋５Ｒを図示せず。）が閉鎖位置（図９において実線にて図示する位置）にあるとき、天蓋５Ｒ、５Ｌの下面を支持しているローラ９とともに天蓋５Ｒ、５Ｌの外側縁部の前端部および後端部（図９において、後端部は図示せず。）を上下から挟持して上下移動を規制して、走行振動、走行風などによって、天蓋の外側縁部が上下に揺動することを防止する。
【００３１】
上記ロック手段１０は、駆動力伝達軸１５の回りに回動自在に連結された揺動アーム２１と、この揺動アーム２１の先端側に回転自在に支持された挟持ローラ２２と、天蓋５Ｒ、５Ｌの閉鎖側（車幅方向内側）へのスライド移動に伴い揺動アーム２１に車幅方向外側から当接して当該揺動アーム２１を車幅方向内側へ傾倒させるように天蓋５Ｒ、５Ｌの外側縁部の前後端部にその長手方向を前後に配して固設された当接ロッド２３と、を備える。
【００３２】
上記ロック手段１０は、天蓋５Ｒ、５Ｌが閉鎖位置側から開放位置側にスライド移動を開始するとき（つまり、図９において天蓋５Ｌが左側にスライド移動するとき）、天蓋５Ｒ、５Ｌは車幅方向外側に向かって下方傾斜しているので、この天蓋５Ｒ、５Ｌによって揺動アーム２１の先端側が車幅方向外側へ（図９において反時計回り方向へ）回動される。すると、挟持ローラ２２が天蓋５Ｒ、５Ｌの上面から上方へ離反して、挟持ローラ２２とローラ９とによる天蓋５Ｒ、５Ｌの挟持が解除される。
【００３３】
反対に、天蓋５Ｒ、５Ｌが開放位置から閉鎖位置側にスライド移動するとき（図９において天蓋５Ｌが右側にスライド移動するとき）、天蓋５Ｒ、５Ｌに固設された当接ロッド２３が天蓋５Ｒ、５Ｌとともに車幅方向内側へ移動するため、当接ロッド２３は、揺動アーム２１を車幅方向外側から車幅方向内側へ向かって（図９において時計回り方向に）押圧回動し、挟持ローラ２２とローラ９とによって天蓋５Ｒ、５Ｌの外側縁部の前端部および後端部が上下から挟持されてその上下移動が規制される。
【００３４】
このように、天蓋５Ｒ、５Ｌが閉鎖位置にあるとき、上記ロック手段１０により天蓋５Ｒ、５Ｌの外側縁部の前端部および後端部が車両２の走行振動などにより上下揺動しないように規制されているが、本発明の実施の形態に係る車両荷箱の天蓋開閉装置では、さらに、天蓋５Ｒ、５Ｌの外側縁部の中間部についても車両２の走行振動などによる上下揺動の発生を防止する構成を備えている。
【００３５】
すなわち、本発明の実施の形態に係る車両荷箱の天蓋開閉装置は、既述した構成に加えて、閉鎖位置にある天蓋５Ｒ、５Ｌの外側縁部の中間部の上方移動を規制するように、その中間部を車両荷箱１の側壁１Ｒ、１Ｌに繋止する繋止手段３０、・・・を備えている。
【００３６】
繋止手段３０は、前後方向に所定間隔をおいて複数箇所に設けられている。繋止手段３０は、例えば、両端部が天蓋５Ｒ、５Ｌの外側縁部の中間部および車両荷箱１の側壁１Ｒ、１Ｌにそれぞれ固定された非弾性紐状体３１などで構成されている。非弾性紐状体３１は、非弾性体であって、紐体のように容易に湾曲するものである。非弾性紐状体３１として、例えば金属製、樹脂製、繊維製などのロープ、線材などを使用することができる。非弾性紐状体３１の上記両端部の固定は、例えば図８に示すように、非弾性紐状体３１として両端部にリング状部３１ａ、３１ａを有するものを使用し、一方のリング状部３１ａは天蓋５Ｒ、５Ｌの外側縁部の中間部に固設された略コ字状の留金具３２に固定し、他方のリング状部３１ａは、車両荷箱１の側壁１Ｒ、１Ｌに固定された棒材３３の露出部に固定する。
【００３７】
なお、留金具３２は、図３および図８に示すように、天蓋５Ｒ、５Ｌの外側縁部から外方へ互いに平行に延出した２枚の支持プレート３２ａ、３２ａと、これら支持プレート３２ａ、３２ａ間に固定された連結軸３２ｂとで構成されている。また、図示する棒材３３は、凹凸状に形成された側壁１Ｒ、１Ｌの凸部の山腹を車両前後方向に貫通し、脱抜しないように当該側壁１Ｒ、１Ｌに溶接にて固定されている。
【００３８】
非弾性紐状体３１の長さは、天蓋５Ｒ、５Ｌが閉鎖位置にあるとき、非弾性紐状体３１が弛まないような長さに設定されている。弛まないようにするのは、天蓋５Ｒ、５Ｌの外側縁部の中間部の上方への移動を確実に規制して、車両２の走行振動、走行風などにより、当該中間部が上下に揺動することを防止するためである。
【００３９】
非弾性紐状体３１の代わりにゴム紐などなどの弾性紐状体を使用することも可能である。この場合、弾性紐状体の長さは、天蓋５Ｒ、５Ｌが閉鎖位置にあるときに、弾性紐状体に張力が発生するように設定される。張力を発生させるのは、天蓋５Ｒ、５Ｌの外側縁部の中間部の上方への移動を十分な張力により規制して、車両２の走行振動、走行風などにより、当該中間部が上下に揺動することを防止するためである。
【００４０】
つぎに、車両荷箱の天蓋開閉装置による左右一対の天蓋５Ｒ、５Ｌの開閉作動について図１０を参照して説明する。
【００４１】
左右一対の天蓋５Ｒ、５Ｌは、閉鎖位置にあるとき、車両荷箱１の開口部１ａを覆うように水平に並置されている。左右一対の天蓋５Ｒ、５Ｌを開放すべく、電動モータ７が正方向に回転駆動されると、その回転駆動力は、減速機１４、駆動力伝達軸１５、駆動スプロケット１６、無端チェーン１７、従動スプロケット１９を順に介して支軸１３を正方向へ回転駆動する。すると、支軸１３に固定された天蓋開閉アーム６が支軸１３を中心として車幅方向外側に向かって回動し、天蓋開閉アーム６の先端部に連結された天蓋５Ｒ、５Ｌがローラ９上にその下面を支持され、車幅方向外側へスライド移動しつつ、車幅方向外側に向かって下方傾動し、最後に車両荷箱１の側壁１Ｒ、１Ｌの外側に沿って縦に配置される（このときの天蓋５Ｒ、５Ｌの位置を「開放位置」という。）。なお、ロック手段１０による天蓋５Ｒ、５Ｌの挟持は、天蓋５Ｒ、５Ｌの車幅方向外側へのスライド移動および回動の開始と同時に解除される。また、天蓋５Ｒ、５Ｌが開放位置に達する際に天蓋５Ｒ、５Ｌの開放角度を規制する緩衝ストッパＳが側壁１Ｒ、１Ｌ設けられている（図９参照）。
【００４２】
両天蓋５Ｒ、５Ｌが車両荷箱の天蓋開閉装置によって開放位置から閉鎖位置へ移動されるときには、上記と逆の手順が実行される。すなわち、電動モータ７が逆方向に回転駆動され、その回転駆動力が減速機１４、駆動力伝達軸１５、駆動スプロケット１６、無端チェーン１７、従動スプロケット１９を順に介して支軸１３を逆方向へ回転駆動する。すると、支軸１３に固定された天蓋開閉アーム６が支軸１３を中心として車幅方向内側に向かって回動し、天蓋開閉アーム６の先端部に連結された天蓋５Ｒ、５Ｌが倒伏傾動しつつ、ローラ９上にその下面を支持されつつ車幅方向内側へスライド移動し、上記閉鎖位置に配置される。天蓋５Ｒ、５Ｌが上記閉鎖位置に配置されると同時に、図９の実線で示したように、ロック手段１０により天蓋５Ｒ、５Ｌの外側縁部の前端部および後端部が挟持され当該部分の上下移動が規制される。
【００４３】
非弾性紐状体３１の両端部の固定位置間距離は、図１０から明らかなように、天蓋５Ｒ、５Ｌが閉鎖位置にあるときが最大となる。このため、両天蓋５Ｒ、５Ｌが閉鎖位置と開放位置との間を移動する際に非弾性紐状体３１に大きな引張り応力が作用して当該非弾性紐状体３１が破損したり、当該非弾性紐状体３１が天蓋５Ｒ、５Ｌの開閉作動の障害、抵抗等になることはない。
【００４４】
非弾性紐状体３１の代わりに前記弾性紐状体を採用した場合、両端部の固定位置間距離は、天蓋５Ｒ、５Ｌが閉鎖位置にあるときが最大となることから、このときに弾性紐状体の張力も最大となる。したがって、この張力に抗して天蓋５Ｒ、５Ｌを閉鎖側へ移動させるだけの駆動力を電動モータ７に確保しておけばよい。
【００４５】
以上の説明から明らかなように、本発明の実施の形態に係る車両荷箱の天蓋開閉装置によれば、車両荷箱の天蓋開閉装置により左右の天蓋５Ｒ、５Ｌが閉鎖位置に配置されているときに、車両２の走行によって、車両荷箱１に走行振動が発生し、走行風が吹きつけても、天蓋５Ｒ、５Ｌの外側縁部の前後端部は、ロック手段１０により上下移動が規制されており、併せて、天蓋５Ｒ、５Ｌの外側縁部の中間部は、非弾性紐状体３１（又は上記弾性紐状体）により上方移動が規制されてローラ９に押さえ付けられているため、天蓋５Ｒ、５Ｌの外側縁部の前端部から後端部に亘って上下揺動の発生を抑制することができる。
【００４６】
以下、本発明の他の実施の形態１について説明する。なお、上記実施の形態と同様の構成については、同一符号を付してその説明を省略し、相違点についてのみ以下に説明する。
【００４７】
他の実施の形態１に係る車両荷箱の天蓋開閉装置は、非弾性紐状体３１に代えてシリンダ４１が設けられている点で既述した実施の形態と相違している。シリンダ４１としては、例えばダンパーシリンダ、油圧シリンダ、空圧シリンダなどを使用することができる。
【００４８】
図１１に示すように、シリンダ４１は、両端部が天蓋５Ｒ、５Ｌの外側縁部および車両荷箱１の側壁１Ｒ、１Ｌとにそれぞれ回動自在に連結されている（図１１において左天蓋５Ｌ、左側壁１Ｌは図示せず。）。例えば、シリンダロッド４１ａの先端部が、天蓋５Ｒ、５Ｌの外側縁部に固設された前後方向に延在した連結軸４２の回りに回動自在に連結され、シリンダチューブ４１ｂの基端部が、車両荷箱１の側壁１Ｒ、１Ｌに固設された前後方向に延在した連結軸４３の回りに回動自在に連結されている。
【００４９】
なお、連結軸４２およびこれを支持する支持部としては、例えば、既述した留金具３２と同様のものを使用することができる。つまり、留金具３２の連結軸３２ａを上記連結軸４２とすることができる。また、連結軸４３としても、既述した棒材３３と同様のものを使用することができる。
【００５０】
天蓋５Ｒ、５Ｌが閉鎖位置にあるとき、シリンダ４１は最大伸長状態となるように設置されており、このことによって天蓋５Ｒ、５Ｌの外側縁部の中間部の上方移動が規制される。この結果、天蓋５Ｒ、５Ｌの外側縁部の当該中間部が車両２の走行振動、走行風等によりローラ９から上方へ離れて上下揺動することが防止されている。なお、シリンダ４１のシリンダロッド４１ａとシリンダチューブ４１ｂとを上記と逆方向に配置してもよい。
【００５１】
左右の天蓋５Ｒ、５Ｌが開閉される際、上記シリンダ４１の両端部の連結位置同士の連結位置間距離は、図１１から明らかなように、天蓋５Ｒ、５Ｌが閉鎖位置にあるときが最大である。このため、両天蓋５Ｒ、５Ｌが閉鎖位置と開放位置との間を移動する際にシリンダ４１が天蓋５Ｒ、５Ｌの開閉作動の障害になることはない。なお、最大収縮状態のシリンダ４１の全長は、前記連結位置間距離の最小値より短いものとなっている。
【００５２】
上記本発明の他の実施の形態１では、シリンダ４１は、天蓋５Ｒ、５Ｌが閉鎖位置にあるときに、最大伸長状態となるように設置されていることにより、天蓋５Ｒ、５Ｌの外側縁部の上方移動を規制しているが、天蓋５Ｒ、５Ｌに対する上記規制はシリンダ４１のストロークエンドを利用したものでなくてもよい。例えば、シリンダ４１が油圧シリンダ、空圧シリンダなどである場合には、天蓋５Ｒ、５Ｌが閉鎖位置にあるときに、シリンダ４１への作動流体の流入出をバルブ操作等により遮断することで、シリンダ４１の伸縮が規制され、閉鎖位置にある天蓋５Ｒ、５Ｌの外側縁部の中間部の上方移動も規制することができる。
【００５３】
また、シリンダ４１として、シリンダロッドが収縮する方向に付勢するコイルバネが内装された油圧シリンダ、空圧シリンダなどを使用することによって、閉鎖位置にある天蓋５Ｒ、５Ｌの外側縁部の中間部の上方移動を規制することも可能である。
【００５４】
以下、本発明の他の実施の形態２について説明する。なお、上記実施の形態と同様の構成については、同一符号を付してその説明を省略し、相違点についてのみ以下に説明する。
【００５５】
他の実施の形態２に係る車両荷箱の天蓋開閉装置は、非弾性紐状体３１に代えて途中位置に少なくとも１つの屈曲部を有するリンク部材５１が設けられている点で既述した実施の形態と相違している。
【００５６】
図１２に示すように、リンク部材５１は、例えば、２個の真直な部材５１ａ、５１ｂをその端部同士で軸着し、この軸着部を屈曲部５１ｃとしたものを採用することができる。上記リンク部材５１は、両端部が天蓋５Ｒ、５Ｌの外側縁部および車両荷箱１の側壁１Ｒ、１Ｌにそれぞれ両端部が回動自在に連結されており、リンク部材５１の一端部が天蓋５Ｒ、５Ｌの外側縁部に固設された前後方向に延在した連結軸５２回りに回動自在に連結され、リンク部材５１の他端部は、車両荷箱１の側壁１Ｒ、１Ｌに固設された前後方向に延在した連結軸５３回りに回動自在に連結されている。
【００５７】
なお、連結軸５２およびこれを支持する支持部としては、例えば、既述した留金具３２と同様のものを使用することができる。つまり、留金具３２の連結軸３２ａを上記連結軸５２とすることができる。また、連結軸５３としても、既述した棒材３３と同様のものを使用することができる。
【００５８】
天蓋５Ｒ、５Ｌが閉鎖位置にあるとき、リンク部材５１は最大伸長状態となるように設置されており、このことによって天蓋５Ｒ、５Ｌの外側縁部の中間部の上方移動が規制される。この結果、天蓋５Ｒ、５Ｌの外側縁部の中間部が車両２の走行振動、走行風等によりローラ９から上方へ離れて上下揺動することが防止されている。
【００５９】
左右の天蓋５Ｒ、５Ｌが開閉される際、上記リンク部材５１の両端部の連結位置同士の連結位置間距離は、図１２から明らかなように、天蓋５Ｒ、５Ｌが閉鎖位置にあるときが最大であり、天蓋５Ｒ、５Ｌが閉鎖位置から開放位置へ移動する途中でリンク部材５１はその屈曲部において屈曲し、上記連結位置間距離の変化に対応する。このため、両天蓋５Ｒ、５Ｌが閉鎖位置と開放位置との間を移動する際にリンク部材５１が天蓋５Ｒ、５Ｌの開閉作動の障害になることはない。
【００６０】
リンク部材は、閉鎖位置にある天蓋５Ｒ、５Ｌの外側縁部の中間部の上方移動を規制するものであればよく、リンク部材５１の最大伸長状態を利用して天蓋５Ｒ、５Ｌに対し上記規制を行うものに限定されない。例えば、上記リンク部材５１の代わりに、図１３に示すようなリンク部材５４を採用してもよい。リンク部材５４は、上記リンク部材５１において、部材５１ａの途中位置と部材５１ｂの途中位置とを連結したバネ５５を有しており、リンク部材５４は、このバネ５５により屈曲する側に付勢されている。
【００６１】
リンク部材５４は、天蓋５Ｒ、５Ｌが閉鎖位置にあるとき、最大伸長状態となるようには設置されていないが、バネ５５により屈曲する側に付勢されており、このようなリンク部材５４により、閉鎖位置にある天蓋５Ｒ、５Ｌの外側縁部の中間部の上方移動を規制することができる。
【００６２】
以上説明した本発明の実施の形態、他の実施の形態１および他の実施の形態２では、天蓋５Ｒ、５Ｌの外側縁部の前端部および後端部に対応する箇所には、ロック手段１０が設けられ、当該箇所に繋止手段３０、シリンダ４１又はリンク部材５１（リンク部材５４）は設けられていないが、上記ロック手段１０に代えて繋止手段３０、シリンダ４１又はリンク部材５１（リンク部材５４）を天蓋５Ｒ、５Ｌの外側縁部の前端部および後端部に対応する箇所に設けるようにしてもよい。
【産業上の利用可能性】
【００６３】
本発明は、車両荷箱の天蓋開閉装置に適用することができる。
【図面の簡単な説明】
【００６４】
【図１】車両荷箱を搭載した車両の側面図である。
【図２】車両荷箱を地上に卸した状態での車両の側面図である。
【図３】本発明の実施の形態に係る車両荷箱の天蓋開閉装置を備えた車両荷箱の平面図である。
【図４】本発明の実施の形態に係る車両荷箱の天蓋開閉装置を備えた車両荷箱の側面図である。
【図５】本発明の実施の形態に係る車両荷箱の天蓋開閉装置を備えた車両荷箱の正面図であって、駆動モータ、減速機を省略した図である。
【図６】本発明の実施の形態に係る車両荷箱の天蓋開閉装置を備えた車両荷箱の背面図である。
【図７】図４のＣ−Ｃ断面図である。
【図８】図３のＡ−Ａ断面図である。
【図９】図３のＢ−Ｂ断面図である。
【図１０】天蓋の作動状態を示した車両荷箱の正面図である。
【図１１】本発明の他の実施の形態１に係る車両荷箱の天蓋開閉装置を備えた車両荷箱の正面図である。
【図１２】本発明の他の実施の形態２に係る車両荷箱の天蓋開閉装置を備えた車両荷箱の正面図である。
【図１３】本発明の他の実施の形態２に係る車両荷箱の天蓋開閉装置を備えた車両荷箱の正面図であって、リンク部材の変形例を示した図である。
【符号の説明】
【００６５】
１  車両荷箱
１Ｒ、１Ｌ  車両荷箱の側壁
５Ｒ、５Ｌ  天蓋
１０  ロック手段
３０  繋止手段
３１  非弾性紐状体
４１  シリンダ
５１、５４  リンク部材
【図１】
2009018673.tif 000003
【図２】
2009018673.tif 000004
【図３】
2009018673.tif 000005
【図４】
2009018673.tif 000006
【図５】
2009018673.tif 000007
【図６】
2009018673.tif 000008
【図７】
2009018673.tif 000009
【図８】
2009018673.tif 000010
【図９】
2009018673.tif 000011
【図１０】
2009018673.tif 000012
【図１１】
2009018673.tif 000013
【図１２】
2009018673.tif 000014
【図１３】
2009018673.tif 000015